(57)【特許請求の範囲】
【請求項１】
物品を収納可能な収納空間を有するキャビネットと、前記キャビネットの上方に配置されたカウンターと、前記カウンターの下方に配置された食器洗浄機と、を備え、
前記キャビネットの一面側には、前記収納空間へ物品を収納するために開閉可能な収納具が配置される第一開口部が設けられ、
前記キャビネットの他面側には、化粧パネルは着脱自在に設置される第二開口部が設けられ、
前記食器洗浄機に接続される給水管、排水管、給電配線は、前記第一開口部及び前記第二開口部との間に配置されており、
前記第一開口部と前記給水管、前記排水管、前記給電配線との間、及び、前記第二開口部と前記給水管、前記排水管、前記給電配線との間には、作業者が前記第一開口部及び前記第二開口部から前記給水管、前記排水管、前記給電配線へアクセス可能とする空間が設けられていることを特徴とする対面式システムキッチン。
【請求項２】
前記第一開口部及び前記第一開口部に配置される収納具は、前記食器洗浄機の下方に配置されていることを特徴とする請求項１に記載の対面式システムキッチン。
【発明の詳細な説明】
【技術分野】
【０００１】
本発明の態様は、一般的に、建築躯体に設置される対面式システムキッチンに関する。
【背景技術】
【０００２】
特許文献１に記載されたように、物品を収納可能な収納空間を有するキャビネットと、キャビネットの上方に配置されたカウンターと、を備えた対面式システムキッチンが知られている。また、キッチンのカウンターより下方に食器洗浄機を設置したシステムキッチンも、知られている。
【先行技術文献】
【特許文献】
【０００３】
【特許文献１】特開２００５−４０３７０号公報
【発明の概要】
【発明が解決しようとする課題】
【０００４】
食器洗浄機を備えたシステムキッチンを設置する際には、システムキッチンを床面Ｆに載置した後、キッチンキャビネットにおけるキッチン作業側に設けられた引出しを取り外した状態もしくはキッチン作業側に設けられた扉を開いた状態でキッチンキャビネットの内部に入り込み、床面Ｆへ給水管、食器洗浄機の排水管、電源配線を接続する必要があるが、給水管及び排水管を建築躯体の床面Ｆへ接続する水道工事業者と、給電配線を床面Ｆへ接続する電気工事業者が、同時にキッチン作業側からキッチンキャビネットの内部に入り込んで作業を行うことは非常に困難である。したがって、一方の工事業者（作業者）が作業を行っている際には、他方の工事業者が一方の工事業者が作業を終えるのを待っていなければならず、作業効率が悪いものであった。
【０００５】
本発明は、かかる課題の認識に基づいてなされたものであり、水道工事業者及び電気工事業者のいずれか一方が作業を行っている間、水道工事業者及び電気工事業者のいずれか他方が該作業を待つ必要がなくなり、作業効率を向上させることができる対面式システムキッチンを提供することを目的とする。
【課題を解決するための手段】
【０００６】
第１の発明は、物品を収納可能な収納空間を有するキャビネットと、前記キャビネットの上方に配置されたカウンターと、前記カウンターの下方に配置された食器洗浄機と、を備え、前記キャビネットの一面側には、前記収納空間へ物品を収納するために開閉可能な収納具が配置される第一開口部が設けられ、前記キャビネットの他面側には、化粧パネルは着脱自在に設置される第二開口部が設けられ、前記食器洗浄機に接続される給水管、排水管、給電配線は、前記第一開口部及び前記第二開口部との間に配置されており、前記第一開口部と前記給水管、前記排水管、前記給電配線との間、及び、前記第二開口部と前記給水管、前記排水管、前記給電配線との間には、作業者が前記第一開口部及び前記第二開口部から前記給水管、前記排水管、前記給電配線へアクセス可能とする空間が設けられていることを特徴とする対面式システムキッチンである。
【０００７】
この対面式システムキッチンによれば、食器洗浄機に接続される給水管、排水管、給電配線は、第一開口部及び第二開口部との間に配置されており、第一開口部と給水管、排水管、給電配線との間、及び、第二開口部と給水管、排水管、給電配線との間には、作業者が第一開口部及び第二開口部から給水管、排水管、給電配線へアクセス可能とする空間が設けられているため、例えば水道工事業者（作業者）が第一開口部及び第二開口部の一方から食器洗浄機の給水管及び排水管の接続作業をしつつ、電気工事業者（作業者）が第一開口部及び第二開口部の他方から食器洗浄機の給電配線の接続作業を同時に行うことができる。したがって、一方の工事業者が作業を行っている際に他方の工事業者が一方の工事業者が作業を終えるのを待つ必要がなくなり、作業効率を向上することができる。
【０００８】
第２の発明は、第１の発明において、前記第一開口部及び前記第一開口部に配置される収納具は、前記食器洗浄機の下方に配置されていることを特徴とする対面式システムキッチンである。
【０００９】
この対面式システムキッチンによれば、第一開口部第一開口部に配置される収納具は食器洗浄機の下方に配置されているため、水道工事及び電気工事の際に、予め設置された食器洗浄機を動かす必要なく、且つ、容易に食器洗浄機の下方から建築躯体の床面Ｆへ給水管、排水管、給電配線の接続作業を行うことができるため、より作業性が向上する。
【発明の効果】
【００１０】
本発明の態様によれば、水道工事業者及び電気工事業者のいずれか一方が作業を行っている間、水道工事業者及び電気工事業者のいずれか他方が該作業を待つ必要がなくなり、作業効率を向上させることができる対面式システムキッチンを提供することができる。
【図面の簡単な説明】
【００１１】
【図１】本発明の実施の形態に係る対面式システムキッチンを示す模式的斜視図である。
【図２】図１の対面式システムキッチンを示す模式的正面図である。
【図３】図１の対面式システムキッチンを示す模式的背面図である。
【図４】図１の対面式システムキッチンを示す模式的側面図である。
【図５】図３の対面式システムキッチンの模式的Ａ−Ａ断面図である。
【図６】食器洗浄機の施工時における図３の対面式システムキッチンの模式的Ａ−Ａ断面図である。
【発明を実施するための形態】
【００１２】
以下、本発明の実施の形態について図面を参照しつつ説明する。なお、各図面中、同様の構成要素には同一の符号を付して詳細な説明は適宜省略する。
また、本発明において、キッチン使用者（調理者など）がシステムキッチン１００に向かって立っている位置が、システムキッチン１００の「正面」であると定義する。
【００１３】
図１は、本発明の実施の形態に係る対面式システムキッチンを示す模式的斜視図である。図２は、図１の対面式システムキッチンを示す模式的正面図である。図３は、図１の対面式システムキッチンを示す模式的背面図である。図４は、図１の対面式システムキッチンを示す模式的側面図である。
【００１４】
図１〜４に示すように、対面式システムキッチン１００は、物品を載置可能な上面を有するカウンター１と、カウンター１に設置されたシンク２と、シンク２内に水を吐出させる水栓装置４と、カウンター１に設置されたコンロ６と、カウンター１の下方に設置された収納キャビネット（キャビネット）８と、コンロの背面側に設置された目隠し部材１０と、を備えている。シンク４は、例えば金属製である。収納キャビネット８は例えば木製であり、内部に物品を収納可能である。目隠し部材１０は例えば半透明の樹脂製部材であって、表面が粗面化処理されており、対面式システムキッチン１００の背面側（リビング側）からコンロ６を視認しにくくさせる役割を有する。
【００１５】
収納キャビネット８の背面側（リビング側）には、背面側開口部（第２開口部）１１（図５参照）が設けられており、背面側開口部１１には、化粧パネル１２が設置されている。化粧パネル１２は例えば樹脂製である。本実施形態においては、化粧パネル１２は３枚設置されている。それぞれの化粧パネル１２は、収納キャビネット８に対して蝶番１４（図５参照）を介して開閉自在に接続されている。即ち、化粧パネル１２は、開状態となることで背面側開口部１１から離れることとなり、閉状態となることで背面側開口部１１を塞ぐこととなる。したがって、化粧パネル１２は、背面側開口部１１に対して着脱自在に設置されている。この化粧パネル１２は、閉状態時において、収納キャビネット８と螺子止めされることで、固定されている。なお、本実施形態においては、この螺子止めは、ドライバー等の工具を使用する必要なく、簡易に取り付けられているものである。
【００１６】
対面式システムキッチン１００は、食器洗浄機１５をさらに備えている。本実施形態においては、食器洗浄機１５は、スライドオープン式の食器洗浄機である。食器洗浄機１５は、カウンターの下方に配置されている。食器洗浄機１５の下方には、正面側開口部（第１開口部）１６が設けられている。
【００１７】
収納キャビネット８の正面側には、収納キャビネット８の収納空間へ物品を収納可能な収納具である引出し１８が複数設けられている。これらの引出し１８は、収納キャビネット８に対して着脱自在に設置されている。本実施形態においては、食器洗浄機１５の下方の正面側開口部１６に配置された引出し１８を洗浄機下引出し２０とする。
【００１８】
図５は、図３の対面式システムキッチンの模式的Ａ−Ａ断面図である。
【００１９】
図５に示すように、食器洗浄機１５は、後方に、食器洗浄機１５に水（湯）を供給するための給水管２２と、食器洗浄機１５で使用した水（湯）を排水するための排水管２４と、食器洗浄機１５に外部電源からの電気を供給するための給電配線２６と、を有している。なお、給水管２２は、「給湯管」という意味も含まれる。給水管２２、排水管２４、給電配線２６は、それぞれ建築躯体の床面Ｆに接続されている。なお、図５，６においては、給水管２２及び排水管２４を同時に図示するために、給水管２２の一部を省略している。
【００２０】
給水管２２、排水管２４、給電配線２６は、正面側開口部１６及び後方開口部２８（図６参照）と背面側開口部１１との間に配置されている。給電配線２６は、例えば給水管２２及び排水管２４より背面側に設置されている。給水管２２及び排水管２４は、それぞれ対面式システムキッチン１００の長手方向に対して横並びに設置されている。
【００２１】
収納キャビネット８の正面側開口部１６における、正面側開口部１６に設置された洗浄機下引出し２０より後方側には、後方開口部２８が設けられている。後方開口部２８は、隠蔽板３０によって、隠蔽されている。隠蔽板３０は、後方開口部２８に対して着脱自在に設置されている。
【００２２】
図６は、食器洗浄機の施工時における図３の対面式システムキッチンの模式的Ａ−Ａ断面図である。図６を用いて、本発明における対面式システムキッチン１００の食器洗浄機１５の施工手順について説明する。
【００２３】
図６に示すように、洗浄機下引出し２０を正面側開口部１６から取り除かれた状態で対面式システムキッチン１００を建築躯体の床面Ｆに載置する。このとき、隠蔽板３０も後方開口部２８から取り除かれた状態であり、化粧パネル１２も背面側開口部１１から取り除かれた状態（収納キャビネット８に対して開状態）である。
【００２４】
水道工事業者は、例えば正面側開口部１６から収納キャビネット８の洗浄機下引出し２０内に潜り込み、後方開口部２８から水道工事を行う（矢印Ａ方向から水道工事を行う）。ここでいう「水道工事」とは、例えば給水管２２及び排水管２４と建築躯体側の水道管及び排水配管との接続工事のことである。このような正面側開口部１６からの工事は、正面側開口部１６と給水管２２、排水管２４、給電配線２６との間に、着脱不可能な遮蔽物が存在しないアクセス空間Ａが設けられているため実現可能である。
【００２５】
一方で、電気工事業者は、例えば背面側開口部１１から電気工事を行う（矢印Ｂ方向から電気工事を行う）。ここでいう「電気工事」とは、例えば給電配線２６と建築躯体側の外部電源（コンセント）３２との接続やアース線接続工事のことである。このような背面側開口部１１からの工事は、背面側開口部１１と給水管２２、排水管２４、給電配線２６との間に、着脱不可能な遮蔽物が存在しないアクセス空間Ｂが設けられているため実現可能である。
【００２６】
当然、電気工事業者が正面側開口部１６から収納キャビネット８に潜り込むことで、正面側開口部１６から電気工事を行うことも可能である。また、水道工事業者が背面側開口部１１から水道工事を行うことも可能である。
【００２７】
このように、食器洗浄機１５に接続される給水管２２、排水管２４、給電配線２６は、正面側開口部１６及び後方開口部２８と背面側開口部１１との間に配置されており、正面側開口部１６と給水管２２、排水管２４、給電配線２６との間、及び、背面側開口部１１と給水管２２、排水管２４、給電配線２６との間には、作業者が正面側開口部１６及び背面側開口部１１から給水管２２、排水管２４、給電配線２６へアクセス可能とするアクセス用空間Ａ、Ｂが設けられているため、例えば水道工事業者（作業者）が正面側開口部１６及び背面側開口部１１の一方から食器洗浄機１５の給水管２２及び排水管２４の接続作業をしつつ、電気工事業者（作業者）が正面側開口部１６及び背面側開口部１１の他方から食器洗浄機１５の給電配線２６の接続作業を同時に行うことができる。したがって、一方の工事業者が作業を行っている際に他方の工事業者が一方の工事業者が作業を終えるのを待つ必要がなくなり、作業効率を向上することができる。
【００２８】
また、正面側開口部１６及び正面側開口部１６に配置される収納具である洗浄機下引出し２０は食器洗浄機１５の下方に配置されているため、水道工事及び電気工事の際に、予め設置された食器洗浄機１５を動かす必要なく、且つ、容易に食器洗浄機１５の下方から建築躯体の床面Ｆへ給水管２２、排水管２４、給電配線２６の接続作業を行うことができるため、より作業性が向上する。
【００２９】
以上、本発明の実施の形態について説明した。しかし、本発明はこれらの記述に限定されるものではない。
【００３０】
本発明の一実施形態において、収納具は引出し１８としたが、本発明はそれに限らず、例えば一端を軸に開閉可能な扉であっても良い。
【００３１】
前述の実施の形態に関して、当業者が適宜設計変更を加えたものも、本発明の特徴を備えている限り、本発明の範囲に包含される。例えば、システムキッチン１００などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００３２】
１ カウンター、  ２ シンク、  ４ 水栓装置、  ６ コンロ、  ８ 収納キャビネット、  １０ 目隠し部材、  １１ 背面側開口部（第２開口部）、  １２ 化粧パネル、  １４ 蝶番、  １５ 食器洗浄機、  １６ 正面側開口部（第１開口部）、  １８ 引出し、  ２０ 洗浄機下引出し、２２ 給水管、２４ 排水管、２６ 給電配線、２８ 後方開口部、３０ 隠蔽板、  ３２ 外部電源（コンセント）、  １００ システムキッチン
【図１】
0006732211.tif 000002
【図２】
0006732211.tif 000003
【図３】
0006732211.tif 000004
【図４】
0006732211.tif 000005
【図５】
0006732211.tif 000006
【図６】
0006732211.tif 000007